(57)【特許請求の範囲】
【請求項１】
放射線源から放射線が照射される撮影台に被験者の乳房を押し付ける押圧部と、
基端が前記押圧部から延びて設けられると共に、前記押圧部を支持する支持部と、
前記支持部の先端に設けられ、装置本体に備えられた被差込部材に着脱可能に差し込まれる取付部と、を備える押圧板であって、
前記取付部は、
前記被差込部材に対して前記取付部の差込方向に摺動可能な第一摺動面と、  
前記第一摺動面に対して反対側に設けられ、前記被差込部材に対して前記差込方向に摺動可能な第二摺動面と、
前記第一摺動面と前記第二摺動面と交差すると共に、前記被差込部材に対して前記取付部の差込方向に摺動可能な取付面と、
前記取付面に形成され、前記取付部が前記被差込部材に差し込まれた状態で前記差込方向に対して直交する方向に開口が延びると共に、装置本体に設けられた突起部材が挿入される凹部と、を備えることを特徴とする押圧板。
【請求項２】
前記取付面と前記凹部とから構成される角部には、テーパ部が設けられる請求項１に記載の押圧板。
【請求項３】
前記第一摺動面及び前記第二摺動面の少なくとも一方に設けられ、前記取付部が前記被差込部材に差し込まれると、前記凹部から退避した前記突起部材が前記凹部に挿入するのを規制する規制部材を移動させて前記突起部材を前記凹部に挿入可能とすると共に、周辺の他の面に比して外側に突出している当接面が設けられる請求項１又は２に記載の押圧板。
【請求項４】
前記他の面と前記当接面と間には、前記差込方向に対して傾斜した傾斜面が設けられる請求項３に記載の押圧板。  
【請求項５】
被験者の乳房が載せられる撮影台と、
前記撮影台に載せられた被験者の乳房を前記撮影台に押し付ける請求項１〜４の何れか１項に記載の押圧板と、
前記撮影台に載せられた乳房に放射線を照射する放射線源と、
装置本体に設けられ、前記押圧板に設けられた取付部が差し込まれる被差込部材と、
装置本体に設けられ、前記取付部が前記被差込部材に差し込まれると前記取付部に形成された凹部に挿入される突起部材と、
を備える放射線撮像装置。
【発明の詳細な説明】
【技術分野】
【０００１】
本発明は、被験者の乳房を撮影台に押し付ける押圧板、及びこの押圧板を備えた放射線撮像装置に関する。
【背景技術】
【０００２】
特許文献１には、撮影台に載せられた被験者の乳房を撮像する放射線撮像装置（マンモグラフィ装置）が記載されている。そして、この放射線撮像装置には、被験者の乳房を撮影台に押し付ける押付板が設けられている。
【０００３】
詳細には、押圧板に備えられた取付部を、装置本体に設けられたスライド内にスライドさせることで、押付板を装置本体に着脱可能に取り付けるようになっている。
【先行技術文献】
【特許文献】
【０００４】
【特許文献１】特開２００２−６５６５３号公報
【発明の概要】
【発明が解決しようとする課題】
【０００５】
しかし、従来の放射線撮像装置では、押圧板の取付部の形状が詳細に開示されていない。このため、取付部の形状は、取付部をスライドさせるスライド方向に延びる直方体状であると考えられる。
【０００６】
本発明の課題は、押圧板の取付部を容易に装置本体に装着し、取付部を装置本体に固定することである。
【課題を解決するための手段】
【０００７】
本発明の請求項１に係る押圧板は、放射線源から放射線が照射される撮影台に被験者の乳房を押し付ける押圧部と、基端が前記押圧部から延びて設けられると共に、前記押圧部を支持する支持部と、前記支持部の先端に設けられ、装置本体に備えられた被差込部材に着脱可能に差し込まれる取付部と、を備える押圧板であって、前記取付部は、前記被差込部材に対して前記取付部の差込方向に摺動可能な第一摺動面と、前記第一摺動面に対して反対側に設けられ、前記被差込部材に対して前記差込方向に摺動可能な第二摺動面と、
前記第一摺動面と前記第二摺動面と交差すると共に、前記被差込部材に対して前記取付部の差込方向に摺動可能な取付面と、前記取付面に形成され、前記取付部が前記被差込部材に差し込まれた状態で前記差込方向に対して直交する方向に開口が延びると共に、装置本体に設けられた突起部材が挿入される凹部と、を備えることを特徴とする。
【０００８】
上記構成によれば、支持部に支持される押圧部は、放射線源から放射線が照射される撮影台に被験者の乳房を押し付ける。一方、装置本体に備えられた被差込部材に着脱可能に差し込まれる取付部が、支持部の先端に設けられている。
【０００９】
ここで、取付部には、第一摺動面と第二摺動面と交差すると共に、被差込部材に対して取付部の差込方向に摺動可能な取付面が設けられている。そして、装置本体に設けられた突起部材が挿入される凹部が、取付面に形成され、取付部が被差込部材に差し込まれた状態で差込方向に対して交差する方向に延びている。
【００１０】
これにより、差込方向に対して交差する方向における凹部と突起部材との相対的な位置バラツキが吸収されると共に、差込方向における取付部のがたつきが抑制される。このため、押圧板の取付部を容易に装置本体に装着し、取付部を装置本体に固定することができる。
【００１１】
本発明の請求項２に係る押圧板は、請求項１に記載において、前記取付面と前記凹部とから構成される角部には、テーパ部が設けられることを特徴とする。
【００１２】
上記構成によれば、テーパ部が、取付面と凹部とから構成される角部に設けられている。このようにテーパ部を設けることで、突起部材を凹部に容易に誘い込むことができる。
【００１３】
本発明の請求項３に係る押圧板は、請求項１又は２に記載において、前記第一摺動面及び前記第二摺動面の少なくとも一方に設けられ、前記取付部が前記被差込部材に差し込まれると、前記凹部から退避した前記突起部材が前記凹部に挿入するのを規制する規制部材を移動させて前記突起部材を前記凹部に挿入可能とすると共に、周辺の他の面に比して外側に突出している当接面が設けられることを特徴とする。
【００１４】
上記構成によれば、取付部が被差込部材に差し込まれると、凹部から退避した突起部材を凹部に挿入するのを規制する規制部材と当って規制部材を移動させて突起部材を凹部に挿入可能とする当接面が、周辺の他の面に比して外側に突出して形成されている。
【００１５】
これにより、取付部の差込時に、他の面と規制部材とが当った場合に生じる抵抗を小さくすることができ、押圧板の取付部を容易に装置本体に装着し、取付部を装置本体に固定することができる。
【００１６】
本発明の請求項４に係る押圧板は、請求項３に記載において、前記他の面と前記当接面と間には、前記差込方向に対して傾斜した傾斜面が設けられることを特徴とする。
【００１７】
上記構成によれば、傾斜面が他の面と当接面との間に設けられている。これにより、規制部材は、傾斜面に沿って移動するため、押圧板の取付部を容易に装置本体に備えられた被差込部材に差し込むことができる。
【００１８】
本発明の請求項５に係る放射線撮像装置は、被験者の乳房が載せられる撮影台と、前記撮影台に載せられた被験者の乳房を前記撮影台に押し付ける請求項１〜４の何れか１項に記載の押圧板と、前記撮影台に載せられた乳房に放射線を照射する放射線源と、装置本体に設けられ、前記押圧板に設けられた取付部が差し込まれる被差込部材と、装置本体に設けられ、前記取付部が前記被差込部材に差し込まれると前記取付部に形成された凹部に挿入される突起部材と、を備えることを特徴とする。
【００１９】
上記構成によれば、請求項１〜４の何れか１項に記載の押圧板が、撮影台に載せられた被験者の乳房を撮影台に押し付ける。そして、放射線源が、撮影台に載せられた乳房に放射線を照射する。
【００２０】
ここで、装置本体に設けられた被差込部材に、請求項１〜４の何れか１項に記載の押圧板に設けられた取付部が差し込まれる。さらに、装置本体に設けられた突起部材は、取付部が被差込部材に差し込まれると取付部に形成された凹部に挿入される。
【００２１】
このように、押圧板の取付部を容易に装置本体に装着し、取付部を装置本体に固定することができる。
【発明の効果】
【００２２】
本発明によれば、押圧板の取付部を容易に装置本体に装着し、取付部を装置本体に固定することができる。
【図面の簡単な説明】
【００２３】
【図１】本発明の実施形態に係るＸ線撮像装置に用いられる被取付装置を示した断面図である。
【図２】本発明の実施形態に係るＸ線撮像装置に用いられる被取付装置を示した断面図である。
【図３】本発明の実施形態に係るＸ線撮像装置に用いられる被取付装置を示した断面図である。
【図４】本発明の実施形態に係るＸ線撮像装置に用いられる被取付装置及び押圧板の取付部を示した分解斜視図である。
【図５】本発明の実施形態に係るＸ線撮像装置に用いられる被取付装置を示した斜視図である。
【図６】（Ａ）（Ｂ）本発明の実施形態に係るＸ線撮像装置に用いられる押圧板における取付部の側面図及び断面図である。
【図７】本発明の実施形態に係るＸ線撮像装置に用いられる押圧板の取付部を示した斜視図である。
【図８】（Ａ）（Ｂ）（Ｃ）本発明の実施形態に係るＸ線撮像装置に用いられる押圧板の正面図、平面図及び断面図である。
【図９】本発明の実施形態に係るＸ線撮像装置に用いられる被取付装置及び押圧板の取付部を示した斜視図である。
【図１０】本発明の実施形態に係るＸ線撮像装置を示した側面図である。
【図１１】本発明の実施形態に係るＸ線撮像装置を示した斜視図である。
【発明を実施するための形態】
【００２４】
本発明の実施形態に係る放射線撮像装置の一例について図１〜図１１に従って説明する。
【００２５】
（全体構成）
図１０、図１１に示されるように、放射線撮像装置の一例としてのＸ線撮像装置（マンモグラフィ）１０は、立位状態の被験者Ｌの乳房ＮをＸ線で撮影する装置であり、ＣＣ（頭尾方向。（Ｃｒａｎｉｏ＆Ｃａｕｄａｌ））撮影とＭＬＯ（内外斜位方向。Ｍｅｄｉａｌ−Ｌａｔｅｒａｌ−Ｏｂｌｉｑｕｅ）撮影との両者を行うことができる装置である。
【００２６】
なお、各図では、鉛直方向を矢印Ｖと、被験者Ｌの前後方向を矢印Ｄと、被験者Ｌの幅方向を矢印Ｗと記載する。
【００２７】
Ｘ線撮像装置１０は、被験者Ｌの前後方向（以下単に前後方向と言う場合がある）の被験者Ｌ側に設けられた測定部１２と、測定部１２を背後から支える基台部１４とを備えている。測定部１２には、前後方向の背面側（被験者Ｌを向いていない側）に延出して基台部１４に回動可能に支持される回動軸１６が設けられている。そして、回動軸１６が基台部１４に支持されることによって測定部１２が基台部１４に回動可能に支持されるようになっている。
【００２８】
さらに、測定部１２は、立位の被験者Ｌ（患者）の乳房Ｎが載せられる平面状の載置面２０が形成された撮影台２２と、Ｘ線管球（図示省略）が設けられて載置面２０に向けて検査用のＸ線を照射する放射線源の一例としての放射線照射装置２４と、乳房Ｎを載置面２０に押し付ける押圧板２６と、押圧板２６を撮影台２２に対して近接離間方向に移動させる近接離間機構１８と、撮影台２２と放射線照射装置２４を保持する保持部２８と、を備えている。
【００２９】
そして、近接離間機構１８には、基端部が上下移動機構（図示省略）に固定され、先端部に押圧板２６が着脱可能に取り付けられる装置本体の一例としてのケース５０が設けられている。なお、押圧板２６をケース５０に着脱可能に取り付ける構成については詳細を後述する。
【００３０】
また、保持部２８には、ＣＣ撮影時に被験者Ｌが把持する一対のハンドル３４が、撮影台２２を挟むように設けられている。さらに、ハンドル３４を構成し被験者Ｌによって握られる握り部３６は、載置面２０の垂直線に対し被験者側とは反対側（すなわち被験者Ｌにとって奥側）に傾斜した棒状部とされ、載置面２０に近づくに従い、被験者Ｌの側に徐々に近くようになっている。
【００３１】
一方、撮影台２２の前後方向の正面側には、ＣＣ撮影時には被験者Ｌの乳房Ｎよりも下方の胸部分を当接させる胸壁当接部３８が設けられている。また、撮影台２２の内部には、載置面２０を通過した放射線が照射されるＸ線検出器としての放射線検出器（図示省略）が設けられている。
【００３２】
（要部構成）
次に、押圧板２６を装置本体に着脱可能に取り付ける構成について説明する。
【００３３】
図９に示されるように、押圧板２６は、乳房Ｎを撮影台２２（図１１参照）に押し付ける押圧部４０を備えている。さらに、押圧板２６は、基端部が押圧部４０の一部から延びて設けられると共に押圧板２６を支持する支持部４２を備えている。そして、支持部４２の先端部には、ケース５０の先端部に設けられた被取付装置５２に着脱可能に取り付けられる直方体状の取付部４４が形成されている。
【００３４】
詳細には、図４、図５に示されるように、被取付装置５２には、取付部４４が幅方向から差し込まれるＣ型状の被差込部材５４が設けられている。具他的には、被差込部材５４は、幅方向（差込方向）から見て上下方向に延びる底面５６を備えている。さらに、被差込部材５４は、底面５６の上端及び下端を基端部として前後方向の被験者Ｌ側に延びる一対の側板５８と、側板５８の先端部から内側に折り曲げられたフランジ部５９と、を含んで構成されている。そして、底面５６の中央側には、底面５６の表裏を貫通する円孔５６Ａが形成されている。
【００３５】
さらに、この円孔５６Ａの内部には、取付部４４に形成された凹状の凹部８６（図７参照）に挿入されて取付部４４を被差込部材５４に固定する円柱状の突起部材６０が設けられている。
【００３６】
図１に示されるように、突起部材６０は、前後方向（矢印Ｄ方向）に延びて設けられている。そして、突起部材６０は、被差込部材５４と一体的に設けられる支持部材６２に支持され、突起部材６０が凹部８６に挿入される挿入位置（図２参照）と、突起部材６０が凹部８６から退避して取付部４４の幅方向（差込方向）の移動を許容する許容位置（図１、図３参照）との間を移動可能とされている。つまり、突起部材６０は、前後方向の被験者Ｌ側に移動して挿入位置に配置され、前後方向の背面側に移動して退避位置に配置されるようになっている。
【００３７】
さらに、突起部材６０の基端部には、突起部材６０に固定され、移動する突起部材６０と共に移動する移動部材６４が設けられている。移動部材６４は、板部材を折り曲げて形成されている。そして、移動部材６４は、幅方向から見て、突起部材６０の基端部が固定されると共に鉛直方向に延びる底板６４Ａと、底板６４Ａの上端から前後方向の被験者側に延びる側板６４Ｂと、底板６４Ａの下端から前後方向の被験者側に延びる側板６４Ｃとを備えて構成されている。
【００３８】
さらに、移動部材６４及び後述する規制部材７４を外側から覆うと共に、幅方向の両側及び前後方向の被験者Ｌ側が開放され、移動部材と一緒に前後方向に移動する筐体部材６６が設けられている。そして、筐体部材６６の上面には、技師が把持可能な把持部６６Ａが上方に突出するように設けられている。
【００３９】
一方、移動部材６４の底板６４Ａを挟んで突起部材６０の反対側には、移動部材６４に固定されると共に、移動部材６４の底板６４Ａを支持する支持ブロック６８が設けられている。さらに、被取付装置５２には、突起部材６０が挿入位置（図２参照）に移動するように支持ブロック６８を介して突起部材６０を付勢する第一付勢部材の一例としてのコイルスプリング７０が複数個設けられている。
【００４０】
また、支持部材６２には、前後方向に移動可能な複数個（本実施形態では一例として、上段に３本下段に３本計６本）の識別ピン９６が設けられ、さらに、識別ピン９６を前後方向の被験者Ｌ側に付勢するコイルスプリング９８が設けられている。また、識別ピン９６の基端側（前後方向の背面側）には、識別ピン９６の移動を検知する図示せぬ検知部材が設けられている。
【００４１】
ここで、識別ピン９６を付勢する複数個のコイルスプリング９６のバネ係数（個々のコイルスプリング９６のバネ係数の合計）は、支持ブロック６８を介して突起部材６０を付勢する複数個のコイルスプリング７０のバネ係数（個々のコイルスプリング７０のバネ係数の合計）より小さくされている。つまり、コイルスプリング７０の付勢力よる突起部材６０の移動は、コイルスプリング９８の付勢力による識別ピン９６の移動に左右されないようになっている。
【００４２】
これにより、取付部４４を被取付装置５２の被差込部材５４に差し込んだ際には、コイルスプリング７０の付勢力により、突起部材６０が取付部４４の凹部８６に挿入されて取付部４４が被差込部材５４に固定される。そして、所定の識別ピン９６は取付部４４側に移動（突出）して後述する取付部４４の識別凹部１００に挿入される。一方、他の識別ピン９６はコイルスプリング９８の弾性変形（圧縮変形）により取付部４４側に移動（突出）しない（図２参照）。これにより、押圧板２６の種類を識別できるようになっている。
【００４３】
つまり、前述したように、複数個のコイルスプリング９６のバネ係数を、複数個のコイルスプリング７０のバネ係数より小さくすることで、突起部材６０によって取付部４０を固定した上で、識別ピン４４による押圧板２６の種類の識別が可能となっている。
【００４４】
一方、移動部材６４の側板６４Ｂ、６４Ｃには、取付部４４が差し込まれる被差込部材５４の差込領域７２に対して進入又は退避する方向（本実施例では鉛直方向）に移動可能とされる円柱状の規制部材７４が設けられている。そして、この規制部材７４を差込領域７２に対して進入する進入方向に付勢する第二付勢部材の一例としてのコイルスプリング７６が設けられている。
【００４５】
詳細には、取付部４４が被差込部材５４に差し込まれていない状態では、コイルスプリング７６によって進入方向に付勢される規制部材７４の先端側は、幅方向から見て、被差込部材５４の側板５８の基端側に形成された開口部５８Ａを通して差込領域７２に進入している。そして、コイルスプリング７０の付勢力で開口部５８Ａの縁部と当接して突起部材６０が退避位置から挿入位置へ移動するのを規制するようになっている。さらに、規制部材７４の基端部には、図示せぬイン検知センサが設けられており、規制部材７４が退避方向に移動すると、被差込部材５４に取付部４４が差し込まれたことを検知するようになっている。
【００４６】
また、規制部材７４の先端部には、被差込部材５４に差し込まれる取付部４４と当って差込領域７２に対して退避する退避方向に押されるテーパ部７４Ａが形成されている。つまり、この状態では、規制部材７４は、被差込部材５４に取付部４４が差し込まれるのを許容する許容位置に配置されるようになっている。
【００４７】
さらに、図２に示されるように、許容位置に配置される規制部材７４を退避方向に移動させると、規制部材７４と開口部５８Ａの縁部との当接状態が解除され、移動部材６４に固定される規制部材７４及び突起部材６０はコイルスプリング７０の付勢力で前後方向の被験者Ｌ側に移動するようになっている。具体的には、規制部材７４は、被差込部材５４の側板５８の外側を向いた面に沿って前後方向の被験者Ｌ側に移動するようになっている。
【００４８】
一方、突起部材６０は、前後方向の被験者Ｌ側に移動し、退避位置から挿入位置へ移動するようになっている。つまり、この状態では、規制部材７４は、コイルスプリング７０の付勢力により移動して突起部材６０を退避位置から挿入位置へ移動させるロック位置に配置されるようになっている。
【００４９】
また、図３に示されるように、筐体部材６６を前後方向の背面側に移動させると、規制部材７４及び突起部材６０が前後方向の背面側に移動する。
【００５０】
そして、規制部材７４は、コイルスプリング７６の付勢力により、被差込部材５４の開口部５８Ａを通して進入方向に移動して、被差込部材５４に差し込まれた取付部４４と前後方向で当接するようになっている。一方、突起部材６０は、前後方向の背面側に移動し、挿入位置から退避位置へ移動するようになっている。そして、この状態では、被差込部材５４に差し込まれた取付部４４を被差込部材５４から離脱させると、規制部材７４は、コイルスプリング７０の付勢力で移動して許容位置（図１参照）へ復帰するようになっている。つまり、規制部材７４は、被差込部材５４に差し込まれた取付部４４を被差込部材５４から離脱可能なロック解除位置に配置されるようになっている。
【００５１】
次に、被差込部材５４に差し込まれる押圧板２６の取付部４４について説明する。
【００５２】
図６、図７、図８に示されるように、取付部４４は、幅方向（差込方向）に延びる直方体状とされており、被差込部材５４の上方に設けられた側板５８に対して幅方向（差込方向）に摺動可能な第一摺動面８０と、第一摺動面８０に対して反対側に設けられ、被差込部材５４の下方に設けられた側板５８に対して幅方向（差込方向）に摺動可能な一対の第二摺動面８２とを備えている。
【００５３】
さらに、第一摺動面８０の縁辺と第二摺動面８２の縁辺とに挟まれるように取付面８４が設けられ、取付面８４は、前後方向の背面側に突出する段差面８４Ａを備えている。換言すれば、取付面８４は、第一摺動面８０と第二摺動面８２と交差すると共に、被差込部材５４に対して取付部４４の差込方向に摺動可能に設けられている。また、取付面８４に設けられた段差面８４Ａには、取付部４４が被差込部材５４に差し込まれた状態で、幅方向に対して交差する方向（本実施形態では直交する方向）に延びるスロット状の凹部８６が形成されている。また、段差面８４と凹部８６とから構成される角部には、テーパ部８８が設けられ、突起部材６０が容易に凹部８６に飲み込まれるようになっている。
【００５４】
さらに、段差面８４Ａには、円状の識別凹部１００が３個設けられており、前述した識別ピン９６がコイルスプリング９８の付勢力で挿入されるようになっている（図２参照）。
【００５５】
一方、第一摺動面８０及び第二摺動面８２には、取付部４４が被差込部材５４（図４参照）に差し込まれると、開口部５４Ａから差込領域７２に進入した規制部材７４のテーパ部７４Ａと当り、規制部材７４を退避させる当接面９０が設けられている。
【００５６】
当接面９０は、当接面９０に対して幅方向（差込方向）の両側に配置された他の面９２によりも外側に突出して形成され、他の面９２と当接面９０との間には、幅方向に対して傾斜した傾斜面９４が設けられている。
【００５７】
（作用・効果）
次に、押圧板２６の着脱方法を示しながら要部構成の作用について説明する。
【００５８】
図１、図４に示されるように、被取付装置５２の被差込部材５４に、押圧板２６の取付部４４が差し込まれていない状態では、規制部材７４は、被差込部材５４に取付部４４が差し込まれるのを許容する許容位置に配置されている。
【００５９】
詳細には、コイルスプリング７６の付勢力により、規制部材７４の先端部は、被差込部材５４の側板５８に設けられた開口部５８Ａを通して差込領域７２に進入している。そして、コイルスプリング７０の付勢力により、規制部材７４は、前後方向で開口部５８Ａの縁部と当り、突起部材６０の前後方向の被験者Ｌ側への移動を規制している。これにより、突起部材６０は、取付部４４の凹部８６から退避して取付部４４の幅方向（差込方向）の移動を許容する許容位置に配置されている。
【００６０】
図４に示されるように、押圧板２６を被取付装置５２に装着する場合には、押圧板２６の取付部４４を幅方向に移動させ、取付部４４を被差込部材５４に差し込む。これにより、一対の規制部材７４の先端部は、第一摺動面８０及び第二摺動面８２に形成された他の面９２と対向しながら、傾斜面９４に沿って退避方向に押圧されて当接面９０に至る。
【００６１】
図２に示されるように、許容位置に配置される規制部材７４を退避方向に移動させると、規制部材７４と開口部５８Ａの縁部との当接状態が解除される。そして、移動部材６４に固定される規制部材７４及び突起部材６０はコイルスプリング７０の付勢力で前後方向の被験者Ｌ側に移動する。具体的には、規制部材７４は、被差込部材５４の側板５８の外側を向いた面に沿って前後方向の被験者Ｌ側に移動する。そして、規制部材７４の基端部に設けられた図示せぬイン検知センサが、被差込部材５４に取付部４４が差し込まれたことを検知する。
【００６２】
一方、突起部材６０も、前後方向の被験者Ｌ側に移動し、退避位置から挿入位置へ移動する。つまり、突起部材６０は、テーパ部８８に沿って凹部８６に挿入される。
【００６３】
さらに、取付部４４に形成された識別凹部１００に対向した識別ピン９８は、コイルスプリング９８の付勢力で識別凹部１００に挿入される。これにより、識別ピン９６の基端側に設けられた図示せぬ検知部材が、どの識別ピン９６が移動したのかを検知することで、どの形の押圧板２６が差し込まれたのかが識別される。この状態では、規制部材７４は、コイルスプリング７０の付勢力により移動して突起部材６０を退避位置から挿入位置へ移動させるロック位置に配置される。
【００６４】
そして、被取付装置５２に固定された押圧板２６で撮影台２２に載せられた被験者Ｌの乳房Ｎを押圧し、放射線照射装置２４を用いて乳房Ｎを撮像する（図１０参照）。
【００６５】
図３に示されるように、押圧板２６を被取付装置５２から離脱する場合には、技師が、筐体部材６６の把持部６６Ａを把持して筐体部材６６を前後方向の背面側に移動させる。これにより、規制部材７４及び突起部材６０が、前後方向の背面側に移動する。
【００６６】
そして、規制部材７４は、コイルスプリング７６の付勢力により、被差込部材５４の開口部５８Ａを通して進入方向に移動して、被差込部材５４に差し込まれた取付部４４と前後方向で当接する。
【００６７】
一方、突起部材６０は、前後方向の背面側に移動し、挿入位置から退避位置へ移動する。つまり、この状態で、規制部材７４は、被差込部材５４に差し込まれた取付部４４を被差込部材５４から離脱可能な、ロック解除位置に配置される。
【００６８】
そして、技師が、押圧板２６の取付部４４を幅方向に移動させて被差込部材５４から離脱させると、規制部材７４と取付部４４との当接が解除され、規制部材７４が図１に示す許容位置に復帰する。
【００６９】
以上、説明したように、取付部４４に形成された凹部８６は、幅方向（差込方向）に対して交差する方向（本実施形態では直交する方向）に延びている。これにより、差込方向に対して直交方向において、凹部８６と突起部材６０との相対的な位置バラツキを吸収できると共に、差込方向における取付部４４のがたつくのを抑制することができる。このため、押圧板２６の取付部４４を容易に被差込部材５４に装着し、取付部４４を装置本体に固定することができる。
【００７０】
また、上記構成によれば、テーパ部８８が、取付面８４の段差面８４Ａと凹部８６とから構成される角部に設けられている。このため、テーパ部８８により突起部材６０を凹部８６に容易に誘い込むことができる。
【００７１】
また、上記構成によれば、規制部材７４と当って規制部材７４を移動させる当接面９０が、周辺の他の面９２に比して外側に突出して形成されている。これにより、取付部４４の差込時に、他の面９２と規制部材７４とが当った場合に生じる抵抗を小さくすることで、押圧板２６の取付部４４を容易に被差込部材５４に装着し、取付部４４を装置本体に固定することができる。
【００７２】
また、上記構成によれば、傾斜面９４が他の面９２と当接面９０との間に設けられている。これにより、規制部材７４は、傾斜面９４に沿って移動するため、押圧板２６の取付部４４を容易に被差込部材５４に差し込むことができる。
【００７３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、特に言及しなかったが、ステレオ撮影やトモシンセンス撮影を行う場合に、前述したＸ線撮像装置１０を用いてもよい。
【符号の説明】
【００７４】
１０          Ｘ線撮像装置（放射線撮像装置の一例）
２２          撮影台
２４          放射線照射装置（放射線源の一例）
２６          押圧板
４０          押圧部
４２          支持部
４４          取付部
５４          被差込部材
６０          突起部材
７４          規制部材
８０          第一摺動面
８２          第二摺動面
８４          取付面
８６          凹部
８８          テーパ部
９０          当接面
９２          他の面
９４          傾斜面
【図１】
0005638461.tif 000002
【図２】
0005638461.tif 000003
【図３】
0005638461.tif 000004
【図４】
0005638461.tif 000005
【図５】
0005638461.tif 000006
【図６】
0005638461.tif 000007
【図７】
0005638461.tif 000008
【図８】
0005638461.tif 000009
【図９】
0005638461.tif 000010
【図１０】
0005638461.tif 000011
【図１１】
0005638461.tif 000012